(57)【要約】【課題】熱交換器の側板を用いることなく、同熱交換器を底板上に簡便に固定できるようにした空気調和機を提供する。【解決手段】熱交換器３が、ヘアピン部３ｂを収容する収容部およびヒンジ部６ｂを備えて開閉する一対の挟持体６ｃからなる挟持部を備えると共に、底板１のフランジ１ａに設けられた挿通孔に対応して前記挟持体６ｃの一方に設けられた透孔７ａと、同透孔７ａに対向して前記挟持体６ｃの他方に突設されたねじ孔７ｂとからなるねじ部を有する支柱体７ｃを備えた固定具８により、前記ヘアピン部３ｂを前記収容部に収容して挟持し、前記挿通孔１ｂおよび前記透孔７ａを通したねじを前記ねじ部に螺着して前記底板１上に固定されるようにした。【選択図】  図５
2004183906.tif 000002
【特許請求の範囲】
【請求項１】
底板上に等間隔で平行に並べられた多数のフィンと、これに直交し両側にヘアピン部を備えた伝熱管とからなる熱交換器を設けてなる空気調和機において、
前記熱交換器が、前記ヘアピン部を収容する収容部およびヒンジ部を備えて開閉する一対の挟持体からなる挟持部を備えると共に、前記底板のフランジに設けられた挿通孔に対応して前記挟持体の一方に設けられた透孔と、同透孔に対向して前記挟持体の他方に突設されたねじ孔とからなるねじ部を有する支柱体を備えた固定具により、前記ヘアピン部を前記収容部に収容して挟持し、前記挿通孔および前記透孔を通したねじを前記ねじ部に螺着して前記底板上に固定されるようにしてなることを特徴とする空気調和機。
【請求項２】
前記挟持部および前記支柱体を備えた前記固定具が合成樹脂製でなり、前記ヒンジ部が前記一対の挟持体を連結して薄肉状に形成されてなることを特徴とする請求項１に記載の空気調和機。
【請求項３】
前記一対の挟持体で前記ヘアピン部を挟持した際、前記支柱体が、前記ヘアピン部の内周部に収容されるようにしてなることを特徴とする請求項１に記載の空気調和機。
【請求項４】
前記一対の挟持体に、係脱可能に係止する係止部を設けてなることを特徴とする請求項１乃至請求項３の何れかに記載の空気調和機。
【請求項５】
前記熱交換器が、前記複数の固定具により複数箇所固定されるようにしてなることを特徴とする請求項１または請求項２に記載の空気調和機。
【発明の詳細な説明】
【０００１】
【発明の属する技術分野】
本発明は、空気調和機に係わり、より詳細には、熱交換器の側板を用いることなく、同熱交換器を底板上に簡便に固定できるようにした構造に関する。
【０００２】
【従来の技術】
従来の空気調和機として、本体ベース（底板）の立上がり縁にスペーサの係止溝を係止し、しかる後スペーサの取付部の凹部に熱交換器のヘアピン部を懸架することにより熱交換器を本体ベース（底板）と熱的に遮断した形で取り付けることができるようにしてなる室外機の事例があった（例えば、特許文献１参照。）。
【０００３】
これにより、例えば暖房運転時に本体ベース（底板）側からの吸熱をなくし、本体ベース（底板）の段凹部に残った除霜水が凍結、成長するのを防ぎ排水を助けるという効果を奏していた。
【０００４】
しかしながら、上記構成でなる空気調和機の室外機においては、熱交換器を本体ベース（底板）と熱的に遮断できる一方、熱交換器を取り付ける取付部を備えたスペーサが、本体ベース（底板）の前後部の立上がり縁同士の間に架設される構成であるため大型化してしまうことになり、熱交換器を取り付けるための構成としてはコスト的に不利であり、取付の作業性においても作業が大掛かりになるため不便さが伴った。
【０００５】
または、例えば図６で示すように、底板１上に熱交換器３を取り付ける際、同熱交換器３の側板３ｄに備えた取付用のねじ孔に、前記底板１のフランジ１ａに設けられた挿通孔１ｂを通したねじを螺着して取り付けるものがあった。
【０００６】
この場合、前提条件として前記熱交換器３に前記取付用のねじ孔を備えた側板３ｄが設けられている必要があるが、この側板３ｄを設けることなく、同側板３ｄよりも廉価な固定具によって簡便に取付できるようにすることが望まれていた。
【０００７】
【特許文献１】
実開昭６０−１４４２６号公報（第１頁および第２頁、第１図）
【０００８】
【発明が解決しようとする課題】
本発明においては、上記の問題点に鑑み、熱交換器の側板を用いることなく、同熱交換器を底板上に簡便に固定できるようにした空気調和機を提供することを目的とする。
【０００９】
【課題を解決するための手段】
本発明は、上記課題を解決するため、底板上に等間隔で平行に並べられた多数のフィンと、これに直交し両側にヘアピン部を備えた伝熱管とからなる熱交換器を設けてなる空気調和機において、
前記熱交換器が、前記ヘアピン部を収容する収容部およびヒンジ部を備えて開閉する一対の挟持体からなる挟持部を備えると共に、前記底板のフランジに設けられた挿通孔に対応して前記挟持体の一方に設けられた透孔と、同透孔に対向して前記挟持体の他方に突設されたねじ孔とからなるねじ部を有する支柱体を備えた固定具により、前記ヘアピン部を前記収容部に収容して挟持し、前記挿通孔および前記透孔を通したねじを前記ねじ部に螺着して前記底板上に固定されるようにしてなる構成となっている。
【００１０】
また、前記挟持部および前記支柱体を備えた前記固定具が合成樹脂製でなり、前記ヒンジ部が前記一対の挟持体を連結して薄肉状に形成されてなる構成となっている。
【００１１】
また、前記一対の挟持体で前記ヘアピン部を挟持した際、前記支柱体が、前記ヘアピン部の内周部に収容されるようにしてなる構成となっている。
【００１２】
また、前記一対の挟持体に、係脱可能に係止する係止部を設けてなる構成となっている。
【００１３】
更に、前記熱交換器が、前記複数の固定具により複数箇所固定されるようにしてなる構成となっている。
【００１４】
【発明の実施の形態】
以下、本発明の実施の形態を図面に基づいた実施例として詳細に説明する。
図１は本発明による空気調和機の平面図であり、図２は図１で示すＡ部の斜視図であり、図３は本発明による空気調和機の要部説明図で、（Ａ）は固定具の斜視図、（Ｂ）は（Ａ）で示すＢ−Ｂ断面図であり、図４は本発明による空気調和機の要部説明図で、（Ａ）はヘアピン部を固定具の挟持部で挟持する前の状態を示す斜視図、（Ｂ）はヘアピン部を固定具の挟持部で挟持した状態を示す斜視図であり、図５は図４（Ｂ）で示すＡ−Ａ断面図である。
【００１５】
本発明による空気調和機の実施の形態を、空気調和機の室外機に適用した事例について以下に説明する。
図で示すように、底板上１を、同底板１上に立設した仕切板２により熱交換器室と圧縮機室とに区画して、前記熱交換器室には等間隔で平行に並べられた多数のフィン３ａと、これに直交し両側がヘアピン部３ｂを備えた伝熱管３ｃとからなる熱交換器３を設けると共に、同熱交換器３に対向させた送風ファン４を設け、前記圧縮機室には圧縮機５を設けた構成になっている。
【００１６】
上記構成により、前記熱交換器３を臨ませた吸込口から吸い込んだ空気を、前記熱交換器３で熱交換したのち前記送風ファン４を臨ませた吹出口から吹き出すようになっている。
【００１７】
前記熱交換器３は、図２と、図３（Ａ）および図３（Ｂ）と、図４（Ａ）および図４（Ｂ）とで示すように、前記ヘアピン部３ｂを挟持する挟持部６と、前記底板１のフランジ１ａに設けられた図６で示す挿通孔１ｂを通したねじを螺着するねじ部７とを備えた合成樹脂製の固定具８により前記底板１上に固定されるようにした構成になっている。
【００１８】
これにより、前記熱交換器３には、上記従来技術において説明した側板３ｄを設ける必要がなくなり、前記側板３ｄよりも廉価に形成できる前記固定具８を介して前記熱交換器３を前記底板１上に簡便に固定できるようになる。
【００１９】
ここで、前記固定具８の構成について、図３（Ａ）および図３（Ｂ）と、図４（Ａ）および図４（Ｂ）とに基づいて詳細に説明する。
前記挟持部６は、前記ヘアピン部３ｂを収容する収容部６ａを備えると共に、ヒンジ部６ｂを備えて開閉する一対の挟持体６ｃからなる構成になっている。
【００２０】
前記ねじ部７は、前記挿通孔１ｂに対応して前記挟持体６ｃの一方に設けられた透孔７ａと、同透孔７ａに対向して前記挟持体６ｃの他方に突設されたねじ孔７ｂを有する支柱体７ｃとからなる構成になっている。
【００２１】
前記収容部６ａに収容された前記ヘアピン部３ｂを、前記一対の挟持体６ｃを閉じることによって挟持すると共に、前記挿通孔１ｂおよび前記透孔７ａを通したねじを前記ねじ孔７ｂに螺着して、前記熱交換器３を前記底板１上に固定するようになっている。
【００２２】
その際、相対向する前記一対の挟持体６ｃに係脱可能に係止する雄雌の係止部６ｄを設けることにより、前記一対の挟持体６ｃを閉じて前記ヘアピン部３ｂを挟持した状態に係止できるので、前記挿通孔１ｂおよび前記透孔７ａを通したねじを前記ねじ孔７ｂに螺着する時の作業性がよくなる。
【００２３】
前記固定具８は、断熱性を有する合成樹脂により金型成形されてなり、前記ヒンジ部６ｂが前記一対の挟持体６ｃを連結して薄肉状に形成されているので、別部材からなるヒンジ部を用いるのに比してコスト的に有利な構成になり、寸法および形状が精度よく仕上がることになる。
【００２４】
また、前記一対の挟持体６ｃにより前記ヘアピン部３ｂを挟持した際、同ヘアピン部３ｂと前記底板１のフランジ１ａとの間を熱的に遮断できるので、前記ヘアピン部３ｂ内を流通する冷媒に熱損失を生じさせることがない。
【００２５】
前記固定具８は、図５で示すように、前記一対の挟持体６ｃで前記ヘアピン部３ｂを挟持した時、前記支柱体７ｃが前記ヘアピン部３ｂの内周部に収容されるように構成されており、前記挿通孔１ｂおよび前記透孔７ａを通したねじを前記ねじ孔７ｂに螺着した際、前記ヘアピン部３ｂを正確に、且つ強固に挟持できるようになっている。
【００２６】
なお、前記固定具８を合成樹脂製により金型成形する際、前記ねじ孔７ｂを合金製でなるねじ孔をインサ−ト成形することにより、該個所に充分な強度をもたせるように構成してもよい。
【００２７】
また、図１で示すように、前記固定具８を複数使用して前記熱交換器３の複数箇所が固定されるように構成することにより、同熱交換器３の両側部から上記従来技術で説明した側板３ｄを取り除いた状態で、同熱交換器３を前記底板１上に固定できるようになる。
【００２８】
以上説明したとおり、図２乃至図５で示すように、前記固定具８の挟持部６をなす前記一対の挟持体６ｃで前記ヘアピン部３ｂを挟持し、前記ベース１のフランジ１ａに設けられた挿通孔１ｂと、前記一方の挟持体６ｃに設けられた透孔７ａとを通したねじを、前記他方の挟持体６ｃに突設された支柱体７ｃのねじ孔７ｂに螺着することにより、廉価な固定具によって前記熱交換器３を前記底板１上に固定できる。
【００２９】
なお、以上説明した本発明の実施の形態は、空気調和機の室外機に適用した事例として説明されているが、例えば一体型空気調和機に適用された場合であっても、上記に説明したのと同様の構成により類似の作用効果を奏することができるものであることを付記しておく。
【００３０】
【発明の効果】
以上説明したように、本発明によれば、熱交換器の側板を用いることなく、同熱交換器を底板上に簡便に固定できるようにした空気調和機となる。
【図面の簡単な説明】
【図１】本発明による空気調和機の平面図である。
【図２】図１で示すＡ部の斜視図である。
【図３】本発明による空気調和機の要部説明図で、（Ａ）は固定具の斜視図であり、（Ｂ）は（Ａ）で示すＢ−Ｂ断面図であり。
【図４】本発明による空気調和機の要部説明図で、（Ａ）はヘアピン部を固定具の挟持部で挟持する前の状態を示す斜視図であり、（Ｂ）はヘアピン部を固定具の挟持部で挟持した状態を示す斜視図である。
【図５】図４（Ｂ）で示すＡ−Ａ断面図である。
【図６】従来例による空気調和機の要部斜視図である。
【符号の説明】
１  底板
１ａ  フランジ
１ｂ  挿通孔
２  仕切板
３  熱交換器
３ａ  フィン
３ｂ  ヘアピン部
３ｃ  伝熱管
４  送風ファン
５  圧縮機
６  挟持部
６ａ  収容部
６ｂ  ヒンジ部
６ｃ  挟持体
６ｄ  係止部
７  ねじ部
７ａ  透孔
７ｂ  ねじ孔
７ｃ  支柱部
８  固定具
【図１】
2004183906.tif 000003
【図２】
2004183906.tif 000004
【図３】
2004183906.tif 000005
【図４】
2004183906.tif 000006
【図５】
2004183906.tif 000007
【図６】
2004183906.tif 000008